(57)【特許請求の範囲】
【請求項１】
かつらの下に装着するかつら下地ネットであって、
第1の弾性ネット状部材で形成された第１のネット部と、
前記第1のネット部に連結され、第２の弾性ネット状部材で形成された第２のネット部と、
前記第２のネット部に連結され、摩擦面を有する弾性帯状部材で形成された位置保持部と、
を備え、
装着時に、頭頂部側から前記第１のネット部、前記第２のネット部、前記位置保持部の順に位置し、
前記第２の弾性ネット状部材の弾性率が前記第1の弾性ネット状部材の弾性率よりも高くなっており、
前記第２のネット部の後頭部側に対応する領域において、前記第２のネット状部材が二重に重ねられていることを特徴とするかつら下地ネット。
【請求項２】
前記第２のネット状部材が、弾性繊維を用いたゾッキ編みまたは交編による細かいネット状編み物であることを特徴とする請求項１に記載のかつら下地ネット。
【請求項３】
前記位置保持部の前記摩擦面にゴム材料またはエラストマ材料からなる層が形成されていることを特徴とする請求項１または２に記載のかつら下地ネット。
【請求項４】
前記第１のネット部に自毛を引き出すための開口部を有することを特徴とする請求項１から３の何れか1項に記載のかつら下地ネット。
【請求項５】
前記位置保持部を形成する前記弾性帯状部材が環状になり、かつ環状となる前記弾性帯状部材の長さを調整可能な係止部材を備えることを特徴とする請求項４に記載のかつら下地ネット。
【請求項６】
前記係止部材によって、装着時に前記開口から引き出した自毛を留めることが可能なことを特徴とする請求項５に記載のかつら下地ネット。
【請求項７】
前記弾性帯状部材の弾性率が前記第２の弾性ネット状部材の弾性率よりも高くなっていることを特徴とする請求項１から６の何れか1項に記載のかつら下地ネット。
【発明の詳細な説明】
【技術分野】
【０００１】
本発明は、自毛をまとめてかつらの下に収めるためのかつら下地ネットに関する。
【背景技術】
【０００２】
かつらを装着するときに、かつらから自毛がはみ出したり、かつらがずれたりするのを防ぐために、自毛をまとめて、かつらの下に収めるためのかつら下地ネットが用いられている。また、かつらを用いるとき、かつらにより髪は若返ることができるが、顔の皮膚のたるみやしわを改善するには至らない。
これに対処するため、かつら下地ネットの中には、顔の皮膚のたるみやしわを矯正する機能を有するものが提案されている（例えば、特許文献１参照）。また、かつら下地ネットではないが、皮膚のたるみやしわを解消するためのターバンも提案されている（例えば、特許文献２参照）。
【先行技術文献】
【特許文献】
【０００３】
【特許文献１】特開２０１４−１１７３０８
【特許文献２】特開２０１２−２２８３２３
【発明の概要】
【発明が解決しようとする課題】
【０００４】
特許文献１に記載のかつら下地ネットでは、頭頂部にかかるリフトバンドによって顔のたるみやしわを引き上げることができるが、頭頂部にかかったリフトバンドの力によって、かつら下地ネット及びその上に装着されたかつらが上方向へずり上がってしまう問題が生じる。
特許文献２に記載のターバンでは、上層部、中層部及び下層部を有しており、上層部に最大の弾性率を有する弾性体が用いられているため、頭頂部における上層部の収縮によって、ターバンが上方向へずり上がってしまう問題が生じる。
【０００５】
本発明の実施態様にかかる目的は、上記の課題を解決するものであり、上方向へずり上がることを抑制するとともに、確実に顔の皮膚のたるみやしわを矯正することが可能なかつら下地ネットを提供することを目的とする。  
【課題を解決するための手段】
【０００６】
上記の課題を解決するため、本発明に係るかつら下地ネットの１つの実施態様では、
かつらの下に装着するかつら下地ネットであって、
第1の弾性ネット状部材で形成された第１のネット部と、
前記第1のネット部に連結され、第２の弾性ネット状部材で形成された第２のネット部と、
前記第２のネット部に連結され、摩擦面を有する弾性帯状部材で形成された位置保持部と、
を備え、
装着時に、頭頂部側から前記第１のネット部、前記第２のネット部、前記位置保持部の順に位置し、
前記第２の弾性ネット状部材の弾性率が前記第1の弾性ネット状部材の弾性率よりも高くなっている。
【発明の効果】
【０００７】
本発明の実施態様においては、上方向へずり上がることを抑制するとともに、確実に顔の皮膚のたるみやしわを矯正することが可能なかつら下地ネットを提供することができる。
【図面の簡単な説明】
【０００８】
【図１】本発明の１つの実施形態に係るかつら下地ネットの構造を示す模式的な斜視図である。
【図２】図１の断面Ａ−Ａを示す図であって、第１のネット部及び第２のネット部の連結の実施形態を示す断面図である。
【図３】図１の断面Ｂ−Ｂを示すであって、位置保持部の係止部材に関する実施形態を示す断面図である。
【図４】本発明の１つの実施形態に係るかつら下地ネットを使用者が装着した態様を示す模式図である。
【図５】本発明の１つの実施形態に係るかつら下地ネットの装着方法を示す模式図である。
【図６】本発明に係るかつら下地ネットにおいて、上方向へずり上がることを抑制するとともに、顔の皮膚を引き上げる機能を有する場合を説明するための模式図である。
【発明を実施するための形態】
【０００９】
本発明の実施態様１に係るかつら下地ネットでは、
かつらの下に装着するかつら下地ネットであって、第１の弾性ネット状部材で形成された第１のネット部と、前記第1のネット部に連結され、第２の弾性ネット状部材で形成された第２のネット部と、前記第２のネット部に連結され、摩擦面を有する弾性帯状部材で形成された位置保持部と、を備え、装着時に、頭頂部側から前記第１のネット部、前記第２のネット部、前記位置保持部の順に位置し、前記第２の弾性ネット状部材の弾性率が前記第1の弾性ネット状部材の弾性率よりも高くなっている。
【００１０】
ここで、第１のネット部や第２のネット部を形成する「弾性ネット状部材」は、弾性繊維が網状（または格子状）に編まれたり、弾性を有する樹脂材料が網状（または格子状）に成形された、通気開口部を有するシート状の部材である。なお、網目（格子）の大きさや形状は、任意のものを採用することができる。
位置保持部を形成する「弾性帯状部材」は、弾性を有する細長いシート状の部材であり、弾性繊維による編物や織物もあり得るし、弾性を有する樹脂材料による成形品もあり得る。なお、「弾性帯状部材」は、所定の弾性率が得られるのであれば、繊維や樹脂材料が密に詰まった場合だけでなく、通気開口部を有するネット状の場合もあり得る。  
【００１１】
本実施態様では、装着時において、摩擦面を有する位置保持部によって、顔の皮膚（例えば、上下方向でこめかみ近傍の皮膚）を確実に保持することができる。また、第２のネット部（つまり第２の弾性ネット状部材）の弾性率が、第１のネット部（つまり第１の弾性ネット状部材）の弾性率よりも高くなっているので、かつら下地ネットが上方向へずり上がることを抑制することができ、それとともに、弾性率が高い第２のネット部によって、位置保持部によって保持された顔の皮膚を効果的に引き上げることができ、確実に顔の皮膚のたるみやしわを矯正することができる。
以上のように、本実施態様においては、上方向へずり上がることを抑制するとともに、確実に顔の皮膚のたるみやしわを矯正するフェイスアップ効果を奏するかつら下地ネットを提供することができる。
【００１２】
本発明の実施態様２に係るかつら下地ネットでは、上記の実施態様１において、
前記第２のネット状部材が、弾性繊維を用いたゾッキ編みまたは交編による細かいネット状編み物である。
【００１３】
ここで、「弾性繊維」としては、ポリウレタンやポリエステルをはじめとして、ナイロン、アクリル、アセテート、ウール等の繊維を例示することができるが、これらに限られるものではない。「ゾッキ編み」は一種類の糸で編む編み方であり、「交編」は、二種類以上の糸を交互に組み合わせ編む編み方である。本実施態様においては、女性下着等に適用される既知のネット状編み物を用いることもできる。
【００１４】
本実施態様では、第２のネット状部材が、弾性繊維を用いたゾッキ編みまたは交編による細かいネット状編み物なので、十分な弾性を有し、厚みが薄いので、下記のように二重に重ねて用いることもできる。
【００１５】
本発明の実施態様３に係るかつら下地ネットでは、上記の実施態様１または２において、
前記位置保持部の前記摩擦面にゴム材料またはエラストマ材料からなる層が形成されている。
【００１６】
本実施態様に用いるゴム材料またはエラストマ材料として、シリコーンゴムをはじめとして、ウレタンゴム、加硫ゴム等を例示することができるが、これらに限られるものではない。
【００１７】
本実施態様では、位置保持部の摩擦面にゴム材料またはエラストマ材料からなる層が形成されているので、装着時に、顔の皮膚を確実に保持することができる。
【００１８】
本発明の実施態様４に係るかつら下地ネットでは、上記の実施態様１から３の何れかにおいて、
前記第１のネット部に自毛を引き出すための開口部を有する。
【００１９】
本実施態様では、第１のネット部に自毛を引き出すための開口部を有するので、自毛の量や用途に応じて、かつら下地ネットの中に収める自毛の量を所望の量に調整できる。更に、第２のネット部よりは小さいが、第１のネット部も弾性を有するので、開口部から引き出す自毛の量を調整することによって、第１のネット部の弾性力、延いては第２のネット部や位置保持部における弾性力を調整できる。
【００２０】
本発明の実施態様５に係るかつら下地ネットでは、上記の実施態様４において、
前記位置保持部を形成する前記弾性帯状部材が環状になり、かつ環状となる前記弾性帯状部材の長さを調整可能な係止部材を備える。
【００２１】
本実施態様では、係止部材によって、帯状部材が環状になり、かつ環状となる帯状部材の長さを調整可能なので、使用者の頭の大きさに合わせて、位置保持部を最適な寸法に合わせることができ、装着時に、位置保持部により顔の皮膚を確実に保持することができる。
【００２２】
本発明の実施態様６に係るかつら下地ネットでは、上記の実施態様５において、
前記係止部材によって、装着時に前記開口から引き出した自毛を留めることが可能である。
【００２３】
例えば、自毛の量が多い場合には、装着時に、自毛を収めた第１のネット部や、第１のネット部の開口部から引き出された自毛が、ピン等では抑えきれずに上方に動いて、装着していたかつらが上方向にずり上がる虞がある。本実施態様では、係止部材によって、引き出した自毛を留めることが可能なので、引き出した自毛が動くのを防いで、上に装着していたかつらが上方向にずり上がるのを防ぐことができる。
【００２４】
本発明の実施態様７に係るかつら下地ネットでは、上記の実施態様１から６の何れかにおいて、
前記第２のネット部の後頭部側に対応する領域において、前記第２のネット状部材が二重に重ねられている。
【００２５】
本実施態様では、第２のネット部の後頭部側に対応する領域において、第２のネット状部材が二重に重ねられているので、更に強い弾性を有する。第２のネット部によって、上方向だけでなく、後ろ方向にも弾性力がかかるので力を分散させることができる。よって、かつら下地ネットが上方向へずり上がることを抑制するとともに、引き上げた皮膚のたるみを後方に分散させる牽引力を発生させて、更なるフェイスアップ効果を得ることができる。
【００２６】
本発明の実施態様８に係るかつら下地ネットでは、上記の実施態様１から７の何れかにおいて、
前記弾性帯状部材の弾性率が前記第２の弾性ネット状部材の弾性率よりも高くなっている。
【００２７】
本実施態様では、かつら下地ネットのうち、装着時に最も頭の下側に位置する位置保持部の弾性帯状部材の弾性率が第２の弾性ネット状部材の弾性率よりも高くなっている（なお、上記のように、第２の弾性ネット状部材の弾性率が第１の弾性ネット状部材の弾性率よりも高くなっている）。よって、確実に顔の皮膚を保持するとともに、第２のネット部の弾性力を用いて、確実に顔の皮膚のたるみやしわを矯正することができる。
次に、本発明の実施態様のかつら下地ネットについて、以下に図面を用いながら詳細に説明する。
【００２８】
(かつら下地ネットの構造の説明）
はじめに、図１から図３を用いて、本発明の１つの実施形態に係るかつら下地ネットの構造の説明を行う。ここで、図１は、本発明の１つの実施形態に係るかつら下地ネットの構造を示す模式的な斜視図であり、図２は、図１の断面Ａ−Ａを示す図であって、第１のネット部及び第２のネット部の連結の実施形態を示す断面図であり、図３は、図１の断面Ｂ−Ｂを示すであって、位置保持部の係止部材に関する実施形態を示す断面図である。
【００２９】
かつら下地ネット２は、自毛をまとめて、かつらの下に収めるためのかつらの下に装着するネット状の部材である。なお、使い方の詳細については、図５を用いて追って詳細に述べる。
図１において、かつら下地ネット２は、第１の弾性ネット状部材１２で形成された第１のネット部４と、第１のネット部４に連結され、第２の弾性ネット状部材１４で形成された第２のネット部６と、第２のネット部６に連結され、摩擦面２２を有する弾性帯状部材１６で形成された位置保持部８と、を備える。よって、装着時には、頭頂部側から第１のネット部４、第２のネット部６、位置保持部８の順に位置し（例えば、図５（ａ）参照）、上側の第１のネット部４及び下側の位置保持部８は、間にある第２のネット部６を介して力が伝わるようになっている。なお、以下の説明においては、装着時における位置（例えば、上側、下側）を用いて説明する。
【００３０】
第１のネット部４は、上側がやや狭くなった筒状の形状を有し、上側に自毛を引き出すことができる開口部１８を有する。これにより、かつら下地ネット２をかぶるときに、開口部１８から自毛の一部を出すことによってかぶり易くでき、またかつら下地ネット２内に収める自毛の量を調整することもできる。その下側に位置する第２のネット部６は、概ね環状に形成されており、後頭部側に対応する領域６ａにおいて、第２の弾性ネット状部材１４が二重に重ねられている。
位置保持部８は、弾性帯状部材１６から主に構成され、この弾性帯状部材１６が環状になり、かつ環状となる弾性帯状部材１６の長さを調整可能な係止部材２０を備えている。
【００３１】
第１の弾性ネット状部材１２及び第２の弾性ネット状部材１４として、弾性繊維が網状（または格子状）に編まれた通気開口部を有するシート状の部材を用いており、第２の弾性ネット状部材１４の方が、より細かい網目を有しており、第２の弾性ネット状部材１４の弾性率が第1の弾性ネット状部材１２の弾性率よりも高くなっている。特に、第２の弾性ネット状部材１４は、弾性繊維を用いたゾッキ編みまたは交編による細かいネット状編み物で構成されている。
よって、第１のネット部４を弱圧部と称し、第２のネット部６を強圧部と称することもできる。
【００３２】
ここで、弾性繊維としては、ポリウレタンやポリエステルをはじめとして、ナイロン、アクリル、アセテート、ウール等の繊維を例示することができるが、これらに限られるものではない。「ゾッキ編み」は一種類の糸で編む編み方であり、「交編」は、二種類以上の糸を交互に組み合わせ編む編み方である。本実施形態においては、女性下着等に適用される既知のネット状編み物を用いることもできる。
本実施形態では、第２のネット状部材６が、弾性繊維を用いたゾッキ編みまたは交編による細かいネット状編み物なので、十分な弾性を有し、厚みが薄いので、上記のように、後頭部側に対応する領域６ａにおいて、容易に二重に重ねることもできる。
【００３３】
第１の弾性ネット状部材１２及び第２の弾性ネット状部材１４は、弾性繊維が網状（または格子状）に編まれた場合だけでなく、弾性を有する樹脂材料（ゴムやエラストマを含む）が網状（または格子状）に成形された、通気開口部を有するシート状の部材を用いることもできる。
【００３４】
位置保持部８を構成する弾性帯状部材１６は、弾性を有する細長いシート状の部材であり、本実施形態では、ポリウレタン、ポリエステル、ナイロン等の弾性繊維による編物または織物である。ただし、これに限られるものではなく、弾性を有する樹脂材料（ゴムやエラストマを含む）による成形品もあり得る。なお、弾性帯状部材１６は、所定の弾性率が得られるのであれば、繊維や樹脂材料が密に詰まった場合だけでなく、通気開口部を有するネット状のものを用いることもできる。
本実施形態においては、位置保持部８を構成する弾性帯状部材１６の弾性率が第２のネット部６を構成する第２の弾性ネット状部材１４の弾性率よりも高くなっている。つまり、かつら下地ネット２を構成する第１のネット部４、第２のネット部６、及び位置保持部８の中で、最も弾性率が高くなっている。
【００３５】
位置保持部８の装着時に頭に接する面には、摩擦面２２を有しており、本実施形態では、弾性帯状部材１６の面にシリコーンゴム層を設けることによって摩擦面２２を形成している。ただし、これに限られるものはなく、弾性帯状部材１６の面にウレタンゴム、加硫ゴムをはじめとする、ゴム材料またはエラストマ材料からなる層を摩擦面２２に設けることによって、摩擦面２２を形成することもできる。これらの層は、コーティングにより弾性帯状部材１６の面に設けることもできるし、シリコーンゴム層を有するテープを弾性帯状部材１６の面に接着することによって設けることもできる。また、弾性帯状部材１６を凹凸面にすることによって、摩擦面２２を有することもできる。
本実施形態では、位置保持部８の摩擦面２２にゴム材料またはエラストマ材料からなる層が形成されているので、装着時に、顔の皮膚を確実に保持することができる。
【００３６】
次に、図１の断面Ａ−Ａを示す図２を用いて、第１のネット部４及び第２のネット部６の連結の実施形態を説明する。図２（ａ）及び（ｂ）に示すように、第２のネット部６は、連結部２６Ａによって第１のネット４に連結され、摩擦面２２を有する位置保持部８は、連結部２６Ｂによって第２のネット６に連結されている。上側の第１のネット部４及び下側の位置保持部８は、間にある第２のネット部６を介して力が伝わるようになっている。特に、連結部２６Ｂにより位置保持部８に連結された第２のネット６の弾性力によって、位置保持部８により保持持された顔の皮膚を効果的に引き上げることができる。
【００３７】
なお、図２（ｂ）に示す実施形態では、第１のネット部４が第２のネット部６との連結部２６Ａよりも下側に延びていて、この下側に延びた部分が第２のネット部６と横並びに配置されている。そして、下側に延びた第１のネット部４の端部が、連結部２６Ｃによって位置保持部８に連結されている。第２のネット部６の弾性力に比べて小さいが、第１のネット部４も弾性力を生じるので、図２（ｂ）に示す実施形態では、連結部２６Ａ及び連結部２６Ｃの間における第１のネット部４の弾性力も、第２のネット部６に共働して、位置保持部８により保持された顔の皮膚を引き上げる機能を果たす。
連結部２６Ａ〜Ｃについては、縫合による連結も可能であるし、接着剤等による連結も可能であるし、連結部材を用いた連結も可能である。
【００３８】
次に、図１を用いて、位置保持部８に備えられた係止部材２０について詳細に説明する。係止部材２０は、弾性帯状部材１６を環状に形成することができ、かつ環状となる弾性帯状部材１６の長さを調整することができる。
本実施形態に係る係止部材２０は、２つの開口を有する留め具２０ａと、弾性帯状部材１６の１つの面の一端１６ａに設けられた第１の面ファスナ２０ｂと、第１の面ファスナ２０ｂから所定の距離だけ離間して、弾性帯状部材１６の１つの面に設けられた第２の面ファスナ２０ｃとを有する。弾性帯状部材１６の第１の面ファスナ２０ｂが設けられた端部１６ａと反対側の端部１６ｂが、留め具２０ａの一方の開口に装入されて、留め具２０ａが弾性帯状部材１６の端部１６ｂに固定されている。
【００３９】
かつら下地ネット２の装着時においては、弾性帯状部材１６の第１の面ファスナ２０ｂが設けられた端部１６ａを、矢印Ｃで示す留め具２０ａのもう一方の開口に装入し、その後、弾性帯状部材１６を外側へ折り返して、第１の面ファスナ２０ｂを第２の面ファスナ２０ｃに押し付けて両者を係合することができる。これにより、弾性帯状部材１６は環状に形成され、使用者の頭部に装着することができる。
このとき、第１の面ファスナ２０ｂ及び第２の面ファスナ２０ｃの間に所定の距離があいており、第２の面ファスナ２０ｃが所定の長さを有するので、環状となる弾性帯状部材１６の長さを調整できるようになっている。弾性帯状部材１６は弾性を有するので、使用者は、弾性帯状部材１６の長さを、不快感を覚えることなく、確実に顔の皮膚を固定可能な長さに調整することができる。
【００４０】
第１の面ファスナ２０ｂ及び第２の面ファスナ２０ｃは、一方がフック状に起毛されており他方がループ状に密集して起毛されていて、両者を押し付けることによって貼り付くようになっており、貼り付けたり剥がしたりすることが自在にできる。ただし、これに限られるものではなく、フックとループ両方が植え込まれたものや、マッシュルーム状に起毛されたものや、鋸歯状に形成されたもの等を用いることができる。
更に、係止部材２０ついて、面テープ以外のその他の任意の係止手段を用いることができる。例えば、複数のスナップを設けたり、複数のラチェットを備えた調整可能な係合手段を用いたり、２０ａと同様な留め具の両方の開口に弾性帯状部材１６を通して、摩擦力で係合する係止手段を用いることもできる。
【００４１】
本実施形態では、係止部材２０によって、位置保持部８を構成する弾性帯状部材１６が環状になり、かつ環状となる弾性帯状部材１６の長さを調整可能なので、使用者の頭の大きさに合わせて、位置保持部８を最適な寸法に合わせることができ、装着時に、位置保持部８により顔の皮膚を確実に保持することができる。
【００４２】
また、例えば、自毛の量が多い場合には、装着時に、自毛を収めた第１のネット部や、第１のネット部４の開口部１８から引き出された自毛が、ピン等では抑えきれずに上方に動いて、装着していたかつらが上方向にずり上がる虞がある。しかし、本実施形態では、係止部材２０によって、引き出した自毛を留めることが可能なので、引き出した自毛が動くのを防いで、上に装着していたかつらが上方向にずり上がるのを防ぐことができる。
【００４３】
次に、図１の断面Ｂ−Ｂを示す図３（ａ）を用いて、位置保持部８の係止部材２０に関する更なる説明を行う。上記のように、係止部材２０の第１の面ファスナ２０ｂ及び第２の面ファスナ２０ｃの間には所定の距離があいているが、この部分にシリコーンゴムで形成された複数の凸部２４を有する。
かつら下地ネット２の装着時においては、弾性帯状部材１６を留め具２０ａのもう一方の開口に装入した後、折り返して、  第１の面ファスナ２０ｂ及び第２の面ファスナ２０ｃが係合するようにするが、このとき、図３（ｂ）に示すように、折り返された弾性帯状部材１６に設けられた凸部２４どうしが当接するようになる。
【００４４】
上記のように、係止部材２０によって、第１のネット部４の開口部１８から引き出した自毛を留めることにより、引き出した自毛が動くのを防いで、上に装着していたかつらが上方向にずり上がるのを防ぐことができる。このとき、図３（ｂ）に示すように、摩擦係数が高くかつ弾性を有するシリコーンゴムで形成された複数の凸部２４で自毛を挟み込むことにより、より確実に引き出した自毛を保持することができる。よって、より確実に装着していたかつらが上方向にずり上がるのを防ぐことができる。
【００４５】
(かつら下地ネットの使用状態の説明）
次に、図４を用いて、図１に示すかつら下地ネット２を装着した場合の説明を行う。図４（ａ）は、かつら下地ネット２を装着した使用者の前側を示し、図４（ｂ）は横側を示し、図４（ｃ）は後ろ側を示す。装着時には、頭頂部側から第１のネット部４、第２のネット部６、位置保持部８の順に位置しており、上側の第１のネット部４及び下側の位置保持部８は、間に位置する第２のネット部６を介して力が伝わるようになっている。第１のネット部４は、頭部の上側に位置しているが、第２のネット部６及び位置保持部８は、それよりも頭の下側に位置している。
【００４６】
位置保持部８は、第１のネット部４、第２のネット部６及び位置保持部８のうち、最も弾性率が高く、確実に顔の皮膚を保持する。つまり、フェイスラインをホールドする大きな滑り止め機能を有する。第２のネット部６は、第１のネット部４に比べて弾性率が高く、第２のネット部６を形成する第２の弾性ネット状部材１４は、ネット状部材として高い弾性率を有する。従って、図４（ａ）、（ｂ）の矢印で示す第２のネット部６の弾性力Ｄ１によって、位置保持部８によりホールドされたフェイスライン、特に目じり、頬等を引き上げて、しわ、皮膚のたるみを矯正することができる。
一方、第１のネット部４は、弾性率が低い、つまり大きく伸びるので、ロングヘアであっても、自毛をきれいにまとめ上げて、かつらの中に収めることができる。
【００４７】
頭の下側に位置している第２のネット部６及び位置保持部８の弾性率が、頭部の上側に位置している第１のネット部４の弾性率よりも高いので、かつら下地ネット２が上方向へずり上がることを抑制するとともに、確実に顔の皮膚のたるみやしわを矯正することができる。この点について、図６を用いて詳細に説明する。
【００４８】
(第１のネット部４、第２のネット部６及び位置保持部８の位置と弾性率との関係の説明）  
図６は、かつら下地ネット２において、上方向へずり上がることを抑制するとともに、顔の皮膚を引き上げる機能を有する場合を説明するための模式図であって、頭の左半分（または右半分）が模式的に示されている。このとき、頭の中心軸が垂直になっており、頭の中心軸に直交する方向が水平線の方向に該当する。
第１のネット部４、第２のネット部６及び位置保持部８は弾性を有しているので、かつら下地ネット２を装着したとき、頭の周囲方向（図６の紙面に垂直な方向）及びそれに直交する頭の輪郭に沿った上下方向（図６の点線の矢印で示す弾性力ｆｉ（ｉ＝１、２、３））に弾性力がかかる。頭の周囲方向の縮む方向の弾性力により、第１のネット部４、第２のネット部６及び位置保持部８の各位置で、頭の中心軸に向かう水平な力Ｆｉ（ｉ＝１、２、３）がかかる。
【００４９】
図６において、第１のネット部４は、頭部の上側に位置しており、第１のネット部４の水平線に対する角度（仰角）θ１は非常に小さくなっている。つまり、第１のネット部４の傾きは水平に近くなっている。
第２のネット部６は、それよりもかなり頭の下側に位置しており、第２のネット部６の水平線に対する角度（仰角）θ２は、第１のネット部４の角度（仰角）θ１に比べて、かなり大きくなっている。
位置保持部８は、更に頭の下側の側頭部に位置しており、位置保持部８の水平線に対する角度（仰角）θ３は、ほぼ９０度になっている。つまり、位置保持部８の傾きは、ほぼ垂直になっている。
【００５０】
このような第１のネット部４、第２のネット部６及び位置保持部８が水平線に対して角度（仰角）θｉ（ｉ＝１、２、３）を有する場合、頭の中心側への水平力Ｆｉの分力として、頭の接線方向上向きに、Ｆｉ×ｃｏｓθｉがかかり、接線の垂直方向である頭の内側の方向にＦｉ×ｓｉｎθｉがかかる。このとき、第１のネット部４、第２のネット部６及び位置保持部８と頭との間の摩擦係数をμとすると、接線方向下向きに、摩擦抵抗力としてＦｉ×μｓｉｎθｉがかかる。つまり、接線方向上向きにかかる力Ｆｉ×ｃｏｓθｉだけ、かつら下地ネット２が上方向へずり上がるような力が加わるが、一方、摩擦抵抗力Ｆｉ×μｓｉｎθｉだけ、かつら下地ネット２が上方向へずり上がるのを防ぐ力が加わる。
【００５１】
θｉが小さい角度、つまり頭の上側の位置でθｉが０に近い場合には、かつら下地ネット２が上方向へずり上がるような力であるＦｉ×ｃｏｓθｉの値が大きく、かつら下地ネット２が上方向へずり上がるのを防ぐ摩擦抵抗力であるＦｉ×μｓｉｎθｉの値が小さくなっている。一方、角度θｉの値が大きくなるにつれて、かつら下地ネット２が上方向へずり上がるような力であるＦｉ×ｃｏｓθｉの値が小さくなり、かつら下地ネット２が上方向へずり上がるのを防ぐ摩擦抵抗力であるＦｉ×μｓｉｎθｉの値が大きくなっていく。つまり、頭の下側の位置に移るにつれて、かつら下地ネット２は上方向へずり上がるような力が小さくなり、それを防ぐ力が大きくなっていく。
【００５２】
第１のネット部４において、弾性力により頭の中心軸向きに力Ｆ１がかかる場合、
かつら下地ネット２を上方向へずり上げる力：Ｆｕ１＝Ｆ１×ｃｏｓθ１となり、
かつら下地ネット２を上方向へずり上がるのを防ぐ摩擦抵抗力：Ｆｒ１＝Ｆ１×μｓｉｎθ１となる。
第２のネット部６において、弾性力により頭の中心向きに力Ｆ２がかかる場合、
かつら下地ネット２を上方向へずり上げる力：Ｆｕ２＝Ｆ２×ｃｏｓθ２となり、
かつら下地ネット２を上方向へずり上がるのを防ぐ摩擦抵抗力：Ｆｒ２＝Ｆ２×μｓｉｎθ２となる。
位置保持部８において、弾性力により頭の中心向きに力Ｆ３がかかる場合、
かつら下地ネット２を上方向へずり上げる力：Ｆｕ３＝Ｆ３×ｃｏｓθ３となり、
かつら下地ネット２を上方向へずり上がるのを防ぐ摩擦抵抗力：Ｆｒ３＝Ｆ３×μｓｉｎθ３となる。
【００５３】
なお、位置保持部８において、かつら下地ネット２を上方向へずり上げる力Ｆｕ３は、Ｆｕ３＝Ｆ３×ｃｏｓθ３であるが、θ３≒９０度なので、Ｆｕ３≒０となる。一方、かつら下地ネット２を上方向へずり上がるのを防ぐ摩擦抵抗力Ｆｒ３は、Ｆｒ３＝Ｆ３×μｓｉｎθ３であるが、θ３≒９０度なので、Ｆｒ３≒Ｆ３×μとなる。
【００５４】
一例として、第１のネット部４における水平方向に対する角度（仰角）θ１＝２０度とし、第２のネット部６における水平方向に対する角度（仰角）θ２＝７０度とし、摩擦係数μ＝０．４５とすると、かつら下地ネット２を上方向へずり上げる力及びそれを防ぐ力は、以下のようになる。
＜第１のネット部４＞
かつら下地ネット２を上方向へずり上げる力：Ｆｕ１＝Ｆ１×ｃｏｓ２０°＝０．９４Ｆ１
かつら下地ネット２を上方向へずり上がるのを防ぐ摩擦抵抗力：
Ｆｒ１＝Ｆ１×０．４５×ｓｉｎ２０°＝０．１５Ｆ１。
つまり、Ｆｕ１＞Ｆｒ１となる。
＜第２のネット部６＞
かつら下地ネット２を上方向へずり上げる力：Ｆｕ２＝Ｆ２×ｃｏｓ７０°＝０．３４Ｆ２
かつら下地ネット２を上方向へずり上がるのを防ぐ摩擦抵抗力：
Ｆｒ２＝Ｆ２×０．４５×ｓｉｎ７０°＝０．４２Ｆ２。
つまり、Ｆｕ２＜Ｆｒ２となる。
【００５５】
よって、第１のネット部４では上方向へずり上がる可能性が高く、一方、第２のネット部６では位置が保持される可能性が高い。そして、摩擦抵抗力Ｆｒ２が、第１のネット部４で生じた上方向へずり上がる力に対する保持力としても機能する。また、上記のように、位置保持部８では、上方向へずり上げる力はほとんどかからず、第１のネット部４等で生じた上方向へずり上がる力に対する保持力として、摩擦抵抗力Ｆｒ３≒０．４５Ｆ３がかかる。
第１のネット部４の位置及び第２のネット部６の位置における差は、例えば、円錐状の傾斜面に輪ゴムをかけた場合、傾斜面が垂直に近い場合には、輪ゴムの位置は保持されるが、傾斜面が水平に近くなっていくと、輪ゴムの位置は保持できず、上方へ動いてしまう事象からも実感できる。
【００５６】
仮に、第１のネット部４における弾性力が、第２のネット部６や位置保持部８の弾性力よりも大きい、つまりＦ１がＦ２やＦ３よりも大きい場合には、第１のネット部４で生じた上方向へずり上げる力によって、かつら下地ネット２を上方向へずり上がってしまう虞がある。例えば、０．９４Ｆ１＋０．１７Ｆ２  ＞  ０．１５Ｆ１＋０．４４Ｆ２＋Ｆ３
（Ｆ１＞０．３４Ｆ２＋１．２７Ｆ３）
の場合、かつら下地ネット２を上方向へずり上がってしまう虞がある。
【００５７】
しかし、本実施形態では、第２のネット部６の第２の弾性ネット状部材１４の弾性率が、第１のネット部４の第１の弾性ネット状部材１２の弾性率よりも高くなっているので、かつら下地ネット２が上方向へずり上がるのを効果的に防ぐことができる。更に、位置保持部８の弾性帯状部材１４の弾性率が、第２のネット部６の第２の弾性ネット状部材１４の弾性率よりも高くなっているので、かつら下地ネット２が上方向へずり上がるのをより効果的に防ぐことができる。
【００５８】
一方、頭の輪郭に沿った上下方向の弾性力については、図６の点線の矢印で示すように、第１のネット部４でｆ１が、第２のネット部６でｆ２が、位置保持部８でｆ３が加わるので、位置保持部８により保持された顔の皮膚を上方へ引き上げるのに寄与する。特に、第２のネット部６による弾性力ｆ２によって、位置保持部８により保持された顔の皮膚を効果的に引き上げることができる。なお、位置保持部８による弾性力ｆ３においても、位置保持部８の高さ寸法（弾性帯状部材１６の幅寸法）の範囲において、顔の皮膚を引き上げる機能を有する。
また、第１のネット部４でｆ１においても、第２のネット部６による弾性力ｆ２に比べれば小さいが、顔の皮膚を引き上げる機能を有する。特に、第１のネット部４に設けられた開口部１８を用いて、かつら下地ネット２内に収める自毛の量を調整できるので、第１のネット部４における弾性力を調整でき、延いては、連結された第２のネット部６及び位置保持部８における弾性力も調整できる。
【００５９】
以上のように、本実施形態では、装着時において、摩擦面２２を有する位置保持部８によって、顔の皮膚（例えば、上下方向でこめかみ近傍の皮膚）を確実の保持することができる。また、第２のネット部６（つまり第２の弾性ネット状部材１４）の弾性率が、第１のネット部４（つまり第１の弾性ネット状部材１２）の弾性率よりも高くなっているので、かつら下地ネット２が上方向へずり上がることを抑制することができ、それとともに、弾性率が高い第２のネット部６により、位置保持部８によって保持された顔の皮膚を効果的に引き上げることができ、確実に顔の皮膚のたるみやしわを矯正することができる。
以上のように、本実施形態においては、上方向へずり上がることを抑制するとともに、確実に顔の皮膚のたるみやしわを矯正するフェイスアップ効果を奏するかつら下地ネット２を提供することができる。
【００６０】
本実施形態では、かつら下地ネット２のうち、装着時に最も頭の下側に位置する位置保持部８の弾性帯状部材１６の弾性率が、第２のネット部６の第２の弾性ネット状部材１４の弾性率よりも高くなっている（第２の弾性ネット状部材１４の弾性率が第１の弾性ネット状部材１２の弾性率よりも高くなっている）。よって、確実に顔の皮膚を保持するとともに、第２のネット部６の弾性力を用いて、確実に顔の皮膚のたるみやしわを矯正することができる。
【００６１】
また、上記のように、本実施形態では、第１のネット部４に自毛を引き出すための開口部１８を有するので、自毛の量や用途に応じて、かつら下地ネット２の中に収める自毛の量を所望の量に調整できる。更に、第２のネット部６よりは小さいが、第１のネット部４も弾性を有するので、開口部１８から引き出す自毛の量を調整することによって、第１のネット部４の弾性力、延いては第２のネット部６や位置保持部８における弾性力を調整できる。
【００６２】
図４の説明に戻り、図４（ｂ）及び（ｃ）に示すように、本実施形態では、第２のネット部６の後頭部側に対応する領域で、参照番号６ａで示すように、第２のネット状部材１４が二重に重ねられているので、更に強い弾性を有する。第２のネット部６によって、上方向の弾性力Ｄ１だけでなく、後ろ方向にも弾性力Ｄ２（図４（ｂ）、（ｃ）参照）がかかるので、力を分散させることができる。よって、かつら下地ネット２が上方向へずり上がることを抑制するとともに、引き上げた皮膚のたるみを後方に分散させる牽引力を発生させて、更なるフェイスアップ効果を得ることができる。
【００６３】
(かつら下地ネットの装着方法の説明）
次に、図５を用いて、図１に示すかつら下地ネット２を装着する方法の説明を行う。まず、図５（ａ）に示すように、係止部材２０を用いて弾性帯状部材１６の長さを調整して、かつら下地ネット２をかぶる。このとき、自毛が長い場合には、第１のネット部４の開口部１８から自毛を出すことにより、容易にかつら下地ネット２をかぶることができる。次に、図５（ｂ）に示すように、第１のネット部４を上に引き上げて、自毛を第１のネット部４の中に収める。そして、図５（ｃ）に示すように、第１のネット部４の端をまとめて、ピン３２で留める。次に、図５（ｄ）に示すように、係止部材２０を用いて、弾性帯状部材１６の長さを再調整して、耳を外に出す。なお、第１のネット部４の開口部１８から引き出した自毛をピン３２で留めることもできる。
【００６４】
このとき、自毛の量が多い場合には、装着時に、自毛を収めた第１のネット部４や、第１のネット部４の開口部１８から引き出された自毛が、ピン３２等では抑えきれずに上方に動いて、装着していたかつらが上方向にずり上がる虞がある。そこで、図５（ｄ）に示すように、係止部材２０によって、引き出した自毛を留めることが可能なので、引き出した自毛が動くのを防いで、上に装着していたかつらが上方向にずり上がるのを防ぐことができる。
次に、図５（ｅ）に示すように、装着したかつら下地ネット２の上にかつら４０をかぶり、図５（ｆ）に示すように、かつら下地ネット２及びかつら４０の位置決めを行う。このとき、粘着テープ等を用いてかつら下地ネット２及びかつら４０を固定することもできるし、ピンのような係合部材を用いて固定することもできる。
【００６５】
以上のように、本発明の実施形態に係るかつら下地ネット２を用いることによって、かつら４０が上方向へずり上がることを抑制するとともに、確実に顔の皮膚のたるみやしわを矯正するファイスアップ効果を奏することができる。
【００６６】
本発明の実施の形態を説明したが、開示内容は構成の細部において変化してもよく、実施の形態における要素の組合せや順序の変化等は請求された本発明の範囲および思想を逸脱することなく実現し得るものである。
【符号の説明】
【００６７】
２      かつら下地ネット      
４      第１のネット部
６      第２のネット部
６ａ    第２のネット部の二重部分
８      位置固定部
１２    第１の弾性ネット状部材
１４    第２の弾性ネット状部材
１６    弾性帯状部材
１８    開口部
２０    係止部材
２２    摩擦面
２４    凸部
３０    自毛
３２    ピン
４０    かつら
【要約】
【課題】  上方向へずり上がることを抑制するとともに、確実に顔の皮膚のたるみやしわを矯正することが可能なかつら下地ネットを提供する。  
【解決手段】  かつらの下に装着するかつら下地ネット２であって、第1の弾性ネット状部材１２で形成された第１のネット部４と、第1のネット４に連結され、第２の弾性ネット状部材１４で形成された第２のネット部６と、第２のネット部６に連結され、摩擦面２２を有する弾性帯状部材１６で形成された位置保持部８と、を備え、装着時に、頭頂部側から第１のネット部４、第２のネット部６、位置保持部８の順に位置し、第２の弾性ネット状部材１４の弾性率が第1の弾性ネット状部材１２の弾性率よりも高くなっているかつら下地ネット２を提供する。
【選択図】  図１【図１】
0005908151.tif 000002
【図２】
0005908151.tif 000003
【図３】
0005908151.tif 000004
【図４】
0005908151.tif 000005
【図５】
0005908151.tif 000006
【図６】
0005908151.tif 000007